【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
容積空間内の消毒を必要とする表面を消毒する方法であって、
ａ）過酸化物化合物又は過酸化物化合物と反応して過酸を形成することができる有機酸化合物のいずれかである第１の過酸反応化合物を有する第１の水性組成物を前記表面上に分配する工程；
ｂ）前記第１の水性組成物が前記表面の全体にわたって分布させて前記表面上で第１の水性組成物層へと合体するのに十分な時間を割り当てる工程であって前記十分な時間が少なくとも１秒であり最大で１５分までである工程；
ｃ）前記第１の過酸反応化合物の他方である第２の過酸反応化合物を有する第２の水性組成物を前記表面上に分配する工程；及び
ｄ）前記第２の水性組成物が前記合体された第１の水性組成物層と組み合わさって前記表面上に反応層を形成するのに十分な第２の時間を割り当て、それにより、前記反応層内に過酸をその場で形成して前記表面を消毒する工程であって、前記第２の水性組成物を前記表面上に分配する際に、前記第１の水性組成物の実質的に全てが前記表面上に保持され、前記十分な第２の時間が少なくとも１秒であり最大で１５分までである工程；
を有し、前記第１の水性組成物及び前記第２の水性組成物のうちの少なくとも１つがアルコールを少なくとも０．０５重量％、好ましくは少なくとも１０重量％であり、最大で７０重量％まで、好ましくは最大で２０重量％まで、さらに有する、上記方法。
【請求項２】
前記第２の水性組成物を前記表面上に分配する際に前記第１の水性組成物のほぼ全てが前記表面上に保持される請求項１に記載の方法。
【請求項３】
前記方法が機械的に粗いスプレーデバイスを提供する工程をさらに有し、前記第１の水性組成物及び前記第２の水性組成物がそれぞれ前記機械的に粗いスプレーデバイスを使用して前記表面上に液体流として分配され、好ましくは前記液体流が、ミスト、シャワー、又はジェットの形態で分配される請求項１又は請求項２に記載の方法。
【請求項４】
ａ）前記第１の過酸反応化合物が過酸化物化合物、好ましくは過酸化水素であり、
ｂ）前記第２の過酸反応化合物が有機酸化合物、好ましくはギ酸、酢酸、クエン酸、コハク酸、シュウ酸、プロパン酸、乳酸、ブタン酸、ペンタン酸、オクタン酸、及びこれらの混合物からなる群から選ばれる有機カルボン酸、より好ましくは酢酸である、
請求項１〜３のいずれか一項に記載の方法。
【請求項５】
前記第１の水性組成物が少なくとも２重量％、最大で１５重量％の過酸化水素を有し、前記第２の水性組成物が少なくとも１重量％、最大で１０重量％の酢酸を有する請求項１〜４のいずれか一項に記載の方法。
【請求項６】
前記アルコールは、エタノール、イソプロパノール、プロパノール、ｔ−ブタノール、ブタノール、ペンタノール、ヘキサノール、ヘプタノール、オクタノール、ノナノール、デカノール、及びこれらの混合物からなる群から選ばれる低鎖アルコール、好ましくはイソプロパノールを有する請求項１〜５のいずれか一項に記載の方法。
【請求項７】
前記第１の水性組成物又は前記第２の水性組成物の少なくとも一方がマヌカハニー、及びオレガノ、タイム、レモングラス、レモン、オレンジ、アニス、クローブ、アニシード、シナモン、ゼラニウム、バラ、ミント、ペパーミント、ラベンダー、シトロネラ、ユーカリ、サンダルウッド、シーダー、ロスマリン、マツ、ヴァーヴァインフレグラス、及びラタニアエのエッセンシャルオイル、及びこれらの組合せからなる群から選ばれる天然殺生物剤、又はメチルグリオキサール、カルバクロール、オイゲノール、リナロール、チモール、ｐ−シメン、ミルセン、ボルネオール、カンファー、カリオフィリン、シンナムアルデヒド、ゲラニオール、ネロール、シトロネロール、及びメントール、並びにこれらの組合せからなる群から選ばれる天然殺生物性化合物を０．００１〜１重量％有する請求項１〜６のいずれか一項に記載の方法。
【請求項８】
容積空間内の消毒を必要とする表面を消毒する方法であって、
ａ）過酸化水素を有する所定量の第１の水性組成物を前記表面上に分配する工程；
ｂ）前記第１の水性組成物が前記表面上に堆積して前記表面上で第１の水性組成物層へと合体するのに十分な時間を割り当てる工程であって、前記十分な時間が少なくとも１秒、好ましくは３０秒、最大で１５分である工程；
ｃ）ギ酸、酢酸、クエン酸、コハク酸、シュウ酸、プロパン酸、乳酸、ブタン酸、ペンタン酸、及びオクタン酸からなる群から選ばれる有機カルボン酸、より好ましくは酢酸を有する第２の水性組成物を前記表面上に分配する工程；及び
ｄ）前記第２の水性組成物が前記表面上に堆積して前記合体された第１の水性組成物層と組み合わさって前記表面上に反応層を形成するのに十分な第２の時間を割り当てる工程であって、前記十分な第２の時間が少なくとも１秒、好ましくは少なくとも３０秒、最大で１５分であり、それにより、前記反応層中にその場で過酸を形成して前記表面を消毒する工程；
を有し、前記第１の水性組成物及び前記第２の水性組成物のうちの少なくとも１つがアルコールを少なくとも０．０５重量％であり最大で７０重量％まででさらに有する、上記方法。
【請求項９】
分散される前記第１の水性組成物の量は、少なくとも１ミクロン、好ましくは少なくとも５ミクロン、最大で５０ミクロン、好ましくは最大で２０ミクロンの有効均一厚さを有する前記第１の水性組成物の前記合体層をもたらすのに十分であり、分散される前記第２の水性組成物の量は、少なくとも３ミクロンであり最大で５０ミクロン、好ましくは最大で２０ミクロンの有効均一厚さを有する前記反応層をもたらすのに十分である請求項８に記載の方法。
【請求項１０】
前記第１の水性組成物及び前記第２の水性組成物が界面活性剤、ポリマー類、キレート剤、及び金属コロイド又は金属ナノ粒子から実質的にフリーである請求項８又は請求項９に記載の方法。
【請求項１１】
ａ）前記第１の過酸反応化合物が１〜２０重量％過酸化水素であり、
ｂ）前記第２の過酸反応化合物が２〜２５重量％酢酸である、
請求項８〜１０のいずれか一項に記載の方法。
【請求項１２】
第１の水性組成物及び第２の水性組成物を消毒を必要とする表面上に順次分配する順次塗布・送出システムであって、前記第１の水性組成物は、過酸化物化合物、好ましくは過酸化水素及び過酸化物化合物と反応して過酸を形成できる有機酸化合物からなる群から選ばれる過酸反応化合物を有し、前記第２の水性組成物は、前記第１の過酸反応化合物の他方である前記過酸反応化合物を有し、前記順次塗布・送出システムは、
ａ）それぞれが第１の水性組成物又は第２の水性組成物を格納する又は収容するように構成される複数の水性組成物容器；
ｂ）各ポンプが前記第１の水性組成物容器又は第２の水性組成物容器のうちの１つとそれぞれ流体連通する複数のポンプ；
ｃ）水性組成物送出ノズルの各々が少なくとも１つのポンプと流体連通するとともに、第１の水性組成物又は第２の水性組成物の１つを１以上の表面上に順次分配するように構成される２つ以上の水性組成物送出ノズル；及び
ｄ）１つ以上の送出ノズルに近接又は隣接するイオン化デバイスであって、前記順次塗布・送出システムにより分配される所定量の前記第１の水性組成物及び／又は前記第２の水性組成物を静電的に帯電させるように構成されるイオン化デバイス；
を有し、
前記順次塗布・送出システムは、各水性組成物が容積空間内及び前記１以上の表面上に分配されるまで前記第１の水性組成物と前記第２の水性組成物とが互いに接触するのを防止するように構成される、上記システム。